Podtech/llm-jp-corpus-v4-ja_patent huggingface dataset:
(57)【要約】【課題】釣り用の浮子は、１日を通して光線の方向により視認条件が著しく変化することが必須であった。【解決手段】釣り用浮子のトップの色目盛りを▲２▼薄色透過光色と▲１▼濃色鮮明色の同色異質でスパイラル（螺旋）状又はリング状に塗装して色目盛りの境▲３▼を艶消し黒帯としたものである。【選択図】図２
2005087200.tif 000002
【特許請求の範囲】
【請求項１】
鮮やかな色と逆光でも見易い色目盛りを特徴とする釣り用の浮子。
【請求項２】
釣り用浮子のトップの色目盛り内に同色で透過光性を有した部分と反射性を有した部分を塗装することを特徴とする請求項１の釣り用浮子のトップ。
【請求項３】
釣り用浮子のトップの目盛りに設ける黒帯を艶消しとして見易くする。
【発明の詳細な説明】
【技術分野】
【０００１】  この発明は、釣りで用いる浮子で水面上に出て魚信を伝える部分（通称トップ）の加工方法に関する。
【背景技術】
【０００２】  従来の釣り用の浮子はその多くが一般的に図１に示すように浮力を持たせたボディー部（Ａ）と水面上に出て魚信を伝えるトップ部（Ｂ）による。
このトップ部（Ｂ）が水面上で魚の餌取（魚信）を表し魚を釣り上げる事ができる。
図１の様な浮子の形態の場合にはトップの素材に透明又は乳白色の合成樹脂製中空パイプ又はグラスファイバー製のロッド等が使用される。
トップは、任意の配色により蛍光塗装され、配色の境は黒帯で区切られ目盛り状にしている。その数や幅は、任意である。蛍光塗装の色目盛りは、単純な単一的塗装を施し、黒帯は光沢塗装されている。
【発明の開示】
【発明が解決しようとする課題】
【０００３】しかしながら、以上の技術によれば、釣り用浮子のトップは、蛍光塗装を施してあるにも係わらずその濃淡の度合いや自然光の方向（逆光等）により見難い状態となることがあった。
特に逆光時には、黒化してしまい目盛りの動きが見え難くなり魚信を視認出来なくなることがあった。具体的には、蛍光塗装が濃い場合（反射力が強い）には順光時にとても鮮明で見易いが、その反面逆光時には黒化して（透過光性が無い為）目盛りの視認出来なくなる。蛍光塗装が薄い場合（透過光性が有る）には、トップ本体の透過光性が失われない為、逆光時に目盛りの視認が出来る反面、順光時に配色変化が弱く鮮やかな見易い色が得られない。
上記の様に従来の釣り用浮子のトップは、１日を通して光線の方向により視認条件が著しく変化することが必須であった。
そこで、この発明は順光・逆光時でも鮮やかで見易い釣り用浮子のトップを提供することを課題とする。
【課題を解決するための手段】
【０００４】  以上の課題を解決するために、第一発明は、釣り用の浮子を順光及び逆光共視認出来ることを特徴とする。
また、第二発明は、釣り用浮子のトップの色目盛りを図２の様に薄色（透過光性有り）と濃色鮮明色（反射性有り）の同色異質でスパイラル状又は、リング状に塗装して順・逆光とも見易いことを特徴とする浮子用のトップである。
トップの塗装は、図３及び４に示す。順光時に鮮やかに見える部分▲１▼は白色蛍光塗料を下地塗装した後に色蛍光塗料を上塗りする。逆光時に透過光させる部分▲２▼は、本来のトップ素材が有している透過光性を阻害しない程度の色蛍光塗料を塗装する。その形状は、同色内でスパイラル（螺旋）状又はリング状とし、交互に異質の塗装をする。
第三発明は、釣り用浮子のトップでの色目盛り間の境に黒帯で区切る部分▲３▼に艶消し塗料を用い、黒帯部分の反射光を拡散さることにより視認し易いことを特徴とする釣り用浮子のトップである。
【発明の効果】
【０００５】  第一発明、または第二発明によれば、釣り用浮子のトップに反射性の強い鮮やかな塗装と逆光時に透過光性の有する色目盛りを加工しる。第三発明により黒帯を艶消し塗装する。以上の発明におり光線の方向が変化する条件下でもトップの目盛りが見易い。
【発明を実施するための最良の形態】
【０００６】  この発明の一実施形態を、図２に示す。
釣り用浮子のトップは、透明又は乳白色の合成樹脂製中空パイプ又はグラスファイバー製等のロッド等であり蛍光塗装及び黒帯で目盛り化している。
色目盛り内は、薄着色部▲２▼（透過光性）と濃着色部▲１▼（反射性）をスパイラル状又はリング状に交互に塗装している。色目盛り間の黒帯▲３▼を艶消し塗装している。【０００７】「実施形態の効果」
この実施形態によれば、釣り用浮子のトップが順光で鮮やかな色に見え，逆光でも黒化しなくなる。黒帯部は艶消し塗装することにより反射光が拡散される。
したがって、１日を通して光線の方向が変化しても鮮やかで見易い釣り用浮子のトップとなる。【０００８】「他の実施形態」
図２の実施形態では、色目盛りの塗装の濃淡がスパイラル状又はリング状に交互であったが、他の形態では縦帯状に塗装したものでも良い。
【図面の簡単な説明】
【０００９】
【図１】この発明の実施する釣り用浮子の斜視図である。
【図２】この発明の一実施形態を示す釣り用浮子のトップ部斜視図である。
【図３】従来技術と本発明を示すトップ部目盛りの斜視図である。
【図４】従来技術と本発明のトップ部目盛りの塗装方法断面図である。
【符号の説明】
【００１０】Ａ  釣り用浮子のボディー部    Ｂ  釣り用浮子のトップ部
▲１▼  濃色部    ▲２▼  薄色部    ▲３▼  艶消し黒帯部
【図１】
2005087200.tif 000003
【図２】
2005087200.tif 000004
【図３】
2005087200.tif 000005
【図４】
2005087200.tif 000006
(57)【要約】【課題】ショートケーキなどに使用されるふわふわした台をスポンジケーキという。従来からの一般的なスポンジケーキの製造方法は、軽く弾力のあるスポンジケーキを製造するために、生地を混練した後、ガスオーブン又は電気オーブンにより１６０℃前後の低温の雰囲気で約４５分間かけて加熱する。生地の混練に１５分程度必要なので、生地を加工し始めてから加熱終了まで、約１時間の時間が必要である。【解決手段】本発明方法は、電子レンジを使用して加熱時間を約５分に短縮し、生地の加工開始から加熱終了までを約２０分に短縮する製造方法である。【選択図】    なし【特許請求の範囲】
【請求項１】
卵、砂糖、薄力粉を主要素材とした、生地の水分と油分を適度に調整した、撹拌されてよく空気を含みかつ粘りを押さえたスポンジケーキの生地を、耐熱樹脂製ボウルに入れて、１５０Ｗ〜２００Ｗの電子レンジで約５分加熱し、短時間に簡単にスポンジケーキを製造する方法。
【発明の詳細な説明】
【技術分野】
【０００１】本発明は、スポンジケーキの製造工程において、生地の水分と油分を適度に調整したスポンジケーキの生地を、耐熱樹脂製ボウルに入れて、１５０Ｗ〜２００Ｗの電子レンジで約５分加熱して、製造時間を短縮し製造工程を簡略化するスポンジケーキの製造に関するものである。
【背景技術】
【０００２】従来よりのスポンジケーキの製造工程は、まず卵、砂糖、薄力粉、バター、水等の主要素材を、よく空気を含みかつ粘りを押さえるように撹拌してスポンジケーキの生地を製造する
一例として生地の素材の構成は、直径１８ｃｍの丸型、高さ６ｃｍのスポンジケーキ１個分として、卵大３個（１６５ｇ）、砂糖９０ｇ、薄力粉９０ｇ、バニラエッセンス１．３ｇ、無塩バター４０ｇ、水１５ｇである。【０００３】次に、内側にバターを塗って冷却し、その上で強力粉を振ってふるい落とした金属製のケーキ型に流し、このケーキ型を１０ｃｍ程度の高さから落とすように台に打ちつけて生地を流すときに含まれた余分の空気を抜く。
あらかじめ１６０℃に予熱したガスオーブンあるいは電気オーブンの中で、１６０℃の雰囲気で４５分焼き上げる。【０００４】上記のスポンジケーキ製造工程では、スポンジケーキができ上がるまでに約１時間を要する。
【発明の開示】
【発明が解決しようとする課題】
【０００５】スポンジケーキの製造は、ふわふわと柔らかくかつ弾力のあるスポンジケーキに仕上げるために、１６０℃の低温のオーブンの中で雰囲気ガスによる低温加熱が採用されている。このために、生地の加熱のための熱は生地の外部から伝導により伝えられ、内部まで均一に加熱されるのに時間がかかる。
また生地の外部が先に加熱され先に固化が始まるために、生地の膨張が押さえられる。
【課題を解決するための手段】
【０００６】上記課題は、次の諸点をポイントとする新製造システムによって達成できる。
１  スポンジケーキの焼成を、電子レンジ低出力の１５０Ｗ〜２００Ｗでおこなう。
ふわふわと柔らかくかつ弾力ある状態に加熱するために、オーブンの低温加熱に相当する１５０Ｗ〜２００Ｗで電子レンジ加熱をおこなう。
加熱時間は素材の量によるが、主材料が卵５５ｇ、砂糖２７ｇ、薄力粉２７ｇの場合で、約５分である。
電子レンジはマイクロウエーブが材料の水分を振動させて、その摩擦熱により加熱させる。
従って、内部から均一に加熱され、短時間での焼成が可能になる。
２  主成分の配合のポイントは、卵の水分だけで加熱する。
一例が、卵５５ｇ、砂糖２７ｇ、薄力粉２７ｇである。
これは、水分が多いと電子レンジ加熱では蒸気量が増えて蒸しパン状になるからである。
またスポンジケーキがふくらむためには生地にある程度の腰の強さが必要であり、脂肪分の量も減らす必要がある。
３  容器は、耐熱樹脂製ボウルを使用し、壁面にはバター、小麦粉等を塗らないで、そのままの状態で使用する。
スポンジケーキが順調にふくらむためには、壁面に適度の摩擦力が必要である。
【発明の効果】
【０００７】  以上述べたごとく、本発明方法によれば、簡単な方法で短時間にスポンジケーキを製造することができる。
この方法により、スポンジケーキの製造が容易になり、ショートケーキ類の家庭での自製の普及が期待される。
【実施例】
【０００８】本発明の実施の形態を、以下の実施例にもとづき詳述する。
卵大１個（５５ｇ）、砂糖大さじ３（２７ｇ）、薄力粉大さじ３（２７ｇ）、バニラエッセンス０．４ｇを用意した。
使用する電子レンジは市販の一般的機種である。
耐熱樹脂製ボウルは、市販の、直径１２．５ｃｍ、高さ７ｃｍのものである。【０００９】ボウルに室温にもどした卵、砂糖、バニラエッセンスを入れる。
ハンドミキサーの高速で、卵の量が４倍にふくれるまで約２分間泡立てる。
薄力粉の半量を加え、手の泡立て器で混ぜる。
残りの薄力粉を加えて混ぜる。
底の大きさに合わせて切ったクッキングシートをしいた耐熱樹脂製ボウルに、流す。
大きな泡を追い出すために、１０ｃｍの高さからトンと落とす。【００１０】耐熱樹脂製ボウルと電子レンジのターンテーブルの間に隙間をつくり電磁波が下からも通りやすくするために、ターンテーブルに割り箸２ぜんをのせ、その上に耐熱樹脂製ボウルをおき、ふた又はラップをふんわりのせる。
電子レンジ１５０Ｗ〜２００Ｗで約５分加熱する。
同じ１５０Ｗ〜２００Ｗの設定であっても、加熱時間は機種によって内部の構造上増減がある。
耐熱樹脂製ボウルいっぱいに生地がふくらんで１ｃｍほどもりあがり、底面から生地が１〜２ｍｍ浮き上がったら火が通った証拠で、すぐにとり出す。
冷えたときに中央が凹まないように、耐熱樹脂製ボウルに入れたまま１０ｃｍほどの高さからトンと落とす。
できたスポンジケーキをいちど耐熱樹脂製ボウルから皿に出して５秒ほど蒸気を抜き、またすぐ耐熱樹脂製ボウルをかぶせて冷ます。
(57)【要約】【課題】通常の瓶詰め容器でも、常温での保存性を十分に確保でき、品質も良好に保てる、加工雲丹の瓶詰め方法を提供する。【解決手段】雲丹殻から雲丹本体を取り出して、水洗し、水切り後に瓶詰めする工程と、開栓状態において中身の雲丹を蒸す工程と、蒸された後、閉栓して、自然冷却する工程とからなることを特徴とする。特に、雲丹を蒸す工程は、湯煎または水蒸気によって、約１００℃で１時間前後、蒸す工程であることが好ましい。【選択図】図１
2005087174.tif 000002
【特許請求の範囲】
【請求項１】
雲丹殻から雲丹本体を取り出して、水洗し、水切り後に瓶詰めする工程と、開栓状態において中身の雲丹を蒸す工程と、蒸された後、閉栓して、自然冷却する工程とからなることを特徴とする、加工雲丹の瓶詰め方法。
【請求項２】
前記雲丹を蒸す工程は、湯煎または水蒸気によって、約１００℃で１時間前後、蒸す工程であることを特徴とする、請求項１に記載の加工雲丹の瓶詰め方法。
【発明の詳細な説明】
【技術分野】
【０００１】
本発明は、生の雲丹を加熱処理して、瓶詰め状態で出荷するための、加工雲丹の瓶詰め方法に関するものである。
【背景技術】
【０００２】
従来、瓶詰めの加工雲丹は、雲丹殻から雲丹本体を取り出して、水洗し、水切り後に、加熱処理などの加工を施し、「粒雲丹」や「練り雲丹」の形態で、瓶詰めにするが、風味、味覚、色調（瓶詰めなので、中身を透視できるので、色調は商品価値に影響する）を損なうことがないような配慮が必要である。しかし、一般に、加工雲丹は、他の塩辛類とは異なり、塩量が少なく、瓶詰めによる、常温での保存が難しい。これは、容器（瓶）内の酸素により、酸化が進行することが原因と考えられている。
【０００３】
そこで、特開平８−２６３６２号公報に所載のように、加工雲丹を瓶詰めした後、ねじ込みなどの手段で、容器に装着するキャップの内側に脱酸素剤を装備して、常温での保存性を確保する工夫がなされている。
【特許文献１】特開平８−２６３６２号公報
【発明の開示】
【発明が解決しようとする課題】
【０００４】
しかしながら、上述の対処の仕方では、特別なキャップの構造が必要となり、また、脱酸素剤を装備する必要から、容器にコストがかかるという問題がある。そこで、従来からの方法では、運搬や保存の際に冷凍あるいは冷蔵することが一般的であるが、この場合は、販売されるまでのランニングコストが嵩み、これが販売価格に影響を与えるので好ましくない。しかも、容器内において、タンパク質により、内容物（加工雲丹）が部分的に白濁する場合があり、容器を通しての見栄えとして、商品としての価値が低下するという問題もある。
【０００５】
本発明は、上記事情に基づいてなされたもので、通常の瓶詰め容器でも、常温での保存性を十分に確保でき、品質も良好に保てる、加工雲丹の瓶詰め方法を提供することを目的とする。
【課題を解決するための手段】
【０００６】
請求項１に記載された、本発明の加工雲丹の瓶詰め方法は、雲丹殻から雲丹本体を取り出して、水洗し、水切り後に瓶詰めする工程と、開栓状態において中身の雲丹を蒸す工程と、蒸された後、閉栓して、自然冷却する工程とからなることを特徴とする。
【０００７】
請求項２に記載された、本発明の加工雲丹の瓶詰め方法は、上述の方法の、最も好ましい条件として、雲丹を蒸す工程が、湯煎によって、約１００℃で１時間前後、蒸す工程であることを特徴とする。
【発明の効果】
【０００８】
このように、瓶詰めした後、開栓の状態で蒸すことにより、殺菌、および内部からの、酸素を含むガスの離脱を促進することができ、しかも、蒸された後、閉栓して、自然冷却することで、内部を低圧状態にすることができ、脱酸素状態が確保できる。このため、上本保存でも、風味、味覚を永く維持するだけでなく、瓶を透過して、外部から観察できる雲丹の色調も損なわれないという効果が得られる。特に、脱酸素剤を用いるような、従来の保存方法に比べて、容器の低コスト化が実現できる。
【発明を実施するための最良の形態】
【０００９】
以下、本発明の加工雲丹の瓶詰め方法を、具体的に説明する。まず、通常のように、雲丹殻から雲丹本体を取り出して、水洗し、水切り後に瓶詰め（透明なガラス瓶など）する。これらの工程は、加工前の通常の処理であるが、本発明では、この後、直ちに、開栓状態において中身の雲丹を蒸すことになる。
【００１０】
この場合の好ましい実施の形態は、雲丹を蒸す工程が、湯煎あるいは水蒸気によって、約１００℃で１時間前後、蒸す工程であることであって、この間に、雲丹が蒸され、同時に、殺菌される。また、容器（瓶）内からは、酸素を含むガスが離脱される。
【００１１】
雲丹の蒸し工程が完了すると、直ちに、閉栓する。この際、キャップにパッキングをかまして、密封度を高める。その後、自然冷却されると、容器（瓶）内は、温度低下に従って減圧される。このようにして、従来のような脱酸素剤を用いることなく、脱酸素状態を確保できる。
【実施例１】
【００１２】
開口部にネジ部１ａを形成した透明ガラス瓶１（容器）に、殻を外し、水洗した１００ｇの生雲丹４を充填し、鍋内で沸騰した状態の、１００℃の湯に、湯面より上に開口部を位置して、鍋底より浮かした状態でガラス瓶１を浸漬し、約１時間、その状態を保持する。その後、鍋より取り出したガラス瓶１に、直ちに、金属製のキャップ２を螺合し、閉栓する。この場合、その密封状態を確保するため、キャップ２の内側に、ガラス瓶１の開口部周縁に密着するゴム製の環状パッキング３を設けておく。その後、自然冷却により、常温まで、放置する。
【００１３】
このように処理された瓶詰め加工雲丹は、常温保存で１年経過した後であっても、何らの変質もなく、その味覚も損なわれなかった。これは、酸化などの影響がなく、滅菌状態が維持されていることを証明するものである。なお、冷凍、もしくは冷蔵保存した場合は、若干の白濁が見られる場合があるので、保存は、むしろ常温の方が好ましい。
【産業上の利用可能性】
【００１４】
本発明の製造方法は、生雲丹を、そのまま、粒雲丹として瓶詰めした後、湯煎などで蒸し、瓶詰め加工雲丹とする場合だけでなく、練り雲丹として瓶詰めした後、蒸す場合にも、適用することができる。
【図面の簡単な説明】
【００１５】
【図１】本発明方法で瓶詰めされた加工雲丹の容器の断面図である。
【符号の説明】
【００１６】
１    透明ガラス瓶
１ａ    開口のネジ部
２    キャップ
３    環状パッキング
４    雲丹
【図１】
2005087174.tif 000003
(57)【要約】【課題】  従来の爪切りは爪を単一の直線または曲線に沿ってカットするのみであった。【解決手段】  本発明の爪切りは爪をカットする上切り刃と下切刃に夫々単一の直線または曲線以外の装飾形状を有せしめる。【選択図】  図２
2005087242.tif 000002
【特許請求の範囲】
【請求項１】
上刃保持体と、この上刃保持体に並設した下刃保持体と、夫々上記上刃保持体と下刃保持体の遊端に相対向するよう形成した上切り刃及び下切り刃とを有し、上記上切り刃と下切り刃間で爪をカットするようにした爪切りにおいて、上記切り刃が単一の直線または曲線以外の任意の装飾形状であることを特徴とする爪切り。
【発明の詳細な説明】
【技術分野】
【０００１】
本発明は爪切り、特に爪に装飾形状を有せしめるようカットすることが可能な爪切りに関するものである。
【背景技術】
【０００２】
従来、爪の切りカスの処理を容易ならしめた爪切りは知られている（特許文献１）。
【特許文献１】特開２００２−３４５５４６号公報（図５）。
【発明の開示】
【発明が解決しようとする課題】
【０００３】
然しながらこのような従来知られている爪切りの切り刃はその切断面が直線状または緩やかな円弧状をなしており、爪に装飾形状を形成することはできなかった。
【０００４】
また、はさみ等により爪に装飾形状を付すことは極めて困難で、深爪してしまう等の危険性もあった。
【０００５】
本発明は上記の欠点を除くようにしたものである。
【課題を解決するための手段】
【０００６】
本発明の爪切りは、上刃保持体と、この上刃保持体に並設した下刃保持体と、夫々上記上刃保持体と下刃保持体の遊端に相対向するよう形成した上切り刃及び下切り刃とを有し、上記上切り刃と下切り刃間で爪をカットするようにした爪切りにおいて、上記切り刃が単一の直線または曲線以外の任意の装飾形状であることを特徴とする。
【発明の効果】
【０００７】
本発明の爪切りによれば、爪に極めて容易に且つ安全に装飾形状を有せしめることができるようになる。
【発明を実施するための最良の形態】
【０００８】
以下図面によって本発明の実施例を説明する。
【実施例１】
【０００９】
図１及び図２において、１は上刃保持体、２は上記上刃保持体１に並設した下刃保持体、３，４は夫々上記上刃保持体１と下刃保持体２の遊端に相対向するよう形成した上切り刃及び下切り刃、５は上記下刃保持体２から上記上刃保持体１を貫通して突出せしめた突設ピン、６はこの突設ピン５の上部にその基部を枢支せしめたＬ型操作レバーである。
【００１０】
本発明においては図３に示すように上記上切り刃３を波状に湾曲した形状７とし、上記下切り刃４もこれに合致した形状ならしめる。
【００１１】
上記波の大きさは任意で良く、また、各波の大きさは夫々異なるようにしても良い。
【００１２】
本発明のこの実施例によれば、この爪切りによって爪を切った場合、爪の端部が波形にカットされ、爪に装飾性を付与できるようになる。
【実施例２】
【００１３】
本発明の他の実施例においては図４に示すように上記上切り刃３を鋸歯状の形状８とし、上記下切り刃４もこれに合致した形状ならしめる。
【００１４】
上記鋸歯状の形状８の大きさは任意で良く、また、夫々異なる大きさとしても良い。
【実施例３】
【００１５】
本発明の他の実施例においては図５及び図６に示すように上記上切り刃３を波状部分と鋸歯状部分が交互に、または、互いに分離した形状９，１０とし、上記下切り刃４もこれに合致した形状ならしめる。
【００１６】
本発明の更に他の実施例においては上記切り刃３と４の形状を波状、鋸歯状の形状以外の矩形等種々な形状及びその組合せとしても良く、また、上記切り刃３と４を直線ではなく外方に膨らむ弧状または内方に凹む弧状とし、これに上記種々の形状を付すようにしても良い。
【００１７】
また、その形状を左右対称、非対称としても良い。
【００１８】
図７は図２に示す実施例における切り刃３を内方に凹む弧状とした例を示す。
【図面の簡単な説明】
【００１９】
【図１】本発明の爪切りの側面図である。
【図２】図１に示す爪切りの斜視図である。
【図３】図１のＡ−Ａ線拡大面図である。
【図４】本発明の他の実施例における図１のＡ−Ａ線拡大面図である。
【図５】本発明の更に他の実施例における図１のＡ−Ａ線拡大面図である。
【図６】本発明の更に他の実施例における図１のＡ−Ａ線拡大面図である。
【図７】本発明の更に他の実施例における図１のＡ−Ａ線拡大面図である。
【符号の説明】
【００２０】
１  上刃保持体
２  下刃保持体
３  上切り刃
４  下切り刃
５  突設ピン
６  レバー
７  波状に湾曲した形状
８  鋸歯状の形状
９  形状
１０  形状
【図１】
2005087242.tif 000003
【図２】
2005087242.tif 000004
【図３】
2005087242.tif 000005
【図４】
2005087242.tif 000006
【図５】
2005087242.tif 000007
【図６】
2005087242.tif 000008
【図７】
2005087242.tif 000009
(57)【要約】【目的】この発明は水性大豆蛋白に納豆菌を定着させ凝固して製造する方法に関するもので有る」【構成】水性大豆蛋白に納豆を混合し凝固して作る健康食品で有る」【選択図】無し【特許請求の範囲】
【請求項１】
納豆菌及び納豆を水性大豆蛋白質に定着させたトーフ及トーフ状の食品
【発明の詳細な説明】
【発明の詳細な説明】
〔産業上の利用分野〕
【０００１】本発明は納豆菌を定着させた健康食品
〔従来の技術〕
【０００２】今だ無い
〔発明が解決しょうとする課題〕
【０００３】健康に良いビタミン、アミノ酸が摂取でき防腐剤のいらない食品の製造法
〔課題を解決するための手段〕
【０００４】水性大豆蛋白に熱成した納豆を摩り潰し混合し後、布目で漉しニガリ等の凝固剤又は寒天、ゼラチンを添加することでトーフが製造できる
〔作用〕
【０００５】本発明は納豆菌からのパーワで腐敗菌から守り単時間で水性大豆蛋白に定着しビタミン、アミの酸を生産する、この様な作用は水性状の活生化した。納豆菌の作用で生れる」
〔実施例〕
【０００６】良く熱成した納豆を摩り潰し水性大豆蛋白と混合しニガリ等の凝固剤又はゼラチン、寒天を添加し形に流して凝固さし生造する」
〔発明の効果〕
【０００７】以上の例において、新しい風味のトーフが生れる」
(57)【要約】【課題】      白米を主原料とした粥にあっては、発芽玄米のように各種健康増進に寄与しない。そこで健康増進に寄与する発芽玄米を主原料とする粥にあっては、表皮（糠層）や発芽が混入しているので、口内に残って食べづらいと共に、のみ込んだ表皮や発芽がそのまま排便されて発芽玄米特有の栄養を吸収することができず、健康増進の効果が大幅に減少する。【解決手段】  発芽玄米または炊飯発芽玄米に水または湯を加えてすり潰し或いは破砕したのち、所望の密閉収納部材に充填したのち、加熱殺菌した粥を提供する。【選択図】    なし【特許請求の範囲】
【請求項１】
発芽玄米または炊飯発芽玄米に水または湯を加えてすり潰し或いは破砕したのち、所望の密閉収納部材に充填したのち、加熱殺菌したことを特徴とする粥の製造方法。
【請求項２】
発芽玄米または炊飯発芽玄米をすり潰し或いは破砕し、これに白米と水を加えて加熱殺菌することで粥とし、これを所望の密閉収納部材に充填したことを特徴とする粥の製造方法。
【請求項３】
前記発芽玄米を、玄米の糠層と胚芽を残して表皮のみを取り去るように精米してあることを特徴とする請求項１又は２に記載の粥の製造方法。  
【発明の詳細な説明】
【技術分野】
【０００１】
この発明は、発芽玄米を用いた粥の製造方法に関する。
【背景技術】
【０００２】
白米を主原料とした粥は、一般的に知られている（例えば、特許文献１参照）。
しかしながら、各種健康の増進に寄与しない。
【０００３】
そこで、発芽玄米を煮沸した粥がある。
【０００４】
この発芽玄米の粥は、発芽玄米の特有の効能により各種健康の増進に役立つことは、知られている。
【０００５】
【特許文献１】特開平５−６８４９３号公報（第２頁、図１、図２）
【発明の開示】
【発明が解決しようとする課題】
【０００６】
しかしながら、発芽玄米の表皮（糠層）や発芽が混入しているので、食べたとき口内に表皮や発芽が残って食べづらい問題があった。
特に、老人や幼児にあっては、上記の問題が顕著である。
【０００７】
また、のみ込んだ表皮や発芽がそのまま排便されるので、発芽玄米特有の栄養を吸収できず、健康増進効果が減少する。
【０００８】
そこで、この発明は、食べづらさをなくして、発芽玄米に健康増進を大幅にアップする粥の製造方法を提供する。
【課題を解決するための手段】
【０００９】
上記の課題を解決するために、この発明は、発芽玄米または炊飯発芽玄米に水または湯を加えてすり潰し或いは破砕したのち、所望の密閉収納部材に充填したのち、加熱殺菌した粥の製造方法を採用する。
【００１０】
また、発芽玄米または炊飯発芽玄米をすり潰し或いは破砕し、これに白米及び水を加えて所望の密閉収納部材に充填したのち、加熱殺菌した粥の製造方法を採用することもある。
【００１１】
さらに、発芽玄米を、玄米の糠層と胚芽を残して表皮のみを取り去るように精米して用いることもある。
【発明の効果】
【００１２】
以上のように、この発明の粥によれば、発芽玄米または炊飯発芽玄米をすり潰し或いは破砕してあるので、口内に表皮や胚芽が残ることなく食べることができると共に、排便されずに栄養価の高い胚芽の吸収（摂取）によって人体に発芽玄米特有の効果を発揮させて健康増進に寄与する。
【００１３】
特に発芽玄米または炊飯発芽玄米のすり潰しや破砕によって老人や幼児でも容易に食べることができる。
【００１４】
また、白米の粥が混入しているので、風味が増す効果がある。
【００１５】
さらに、発芽玄米を、糠層と胚芽を残して表皮を取り去ってあるので、健康増進に寄与すると共に、表皮の混入がないため食べづらさがない。  
【発明を実施するための最良の形態】
【００１６】
この発明の第１の実施形態では、発芽玄米または炊飯発芽玄米をすり潰す。
【００１７】
上記の発芽玄米は、周知の手段、例えば、電気発芽器によって玄米を発芽させる。
上記の炊飯発芽玄米は、前記の発芽玄米を炊飯し、或いは蒸す。
上記のすり潰しは、固定すり潰し板と回転すり潰し板との間に投入してすり潰し、上記の破砕は、ミキサーを用いて行なう。
【００１８】
次に、上記すり潰し或いは破砕した発芽玄米に水や湯を加えて適当な密閉収納部材に充填する。
【００１９】
上記の密閉収納部材としては、真空包装の袋や器体の開口に蓋シートを熱接着する（レトルト食品などのように）などの容器を用いる。
【００２０】
然るのち、密閉収納部材を加熱殺菌（周知につき説明を省略する）する。
【００２１】
上記のように造った粥を食べると、発芽玄米のすり潰し或いは破砕によって発芽玄米の表皮や胚芽が口内に残ることなく、すなわち異和感がなく食べることができる。
【００２２】
この発明の第２の実施形態では、第１の実施形態と同様のすり潰し或いは破砕した発芽玄米または炊飯発芽玄米をすり潰し或いは破砕して、これに適当な量の白米と水または湯を加えて第１の実施形態と同様の密閉収納部材に充填する。
【００２３】
然るのち、密閉収納部材を加熱殺菌（周知につき説明を省略する）する。  
【００２４】
上記のように造った粥を食べると、発芽玄米のすり潰しや破砕によって発芽玄米の表皮や胚芽が口内に残ることなく食べることができると共に、混入した白米の粥によって風味が増す。
【００２５】
上記使用する発芽玄米は、玄米の糠層と胚芽を残して表皮が取り除かれるように精米する。
【００２６】
上記発芽玄米の胚芽部分と糠層の一部を残した精米方法としては、胚芽精米機による精米や、一般の精米機による精米の際の加圧力を減少（調整）することにより行なうことができる。
【００２７】
すると、発芽玄米の糠層によって富栄養が保障され、胚芽のミネラルによって著しく健康増進に寄与すると共に、表皮の除去によって食べづらさをなくすることができる。
【００２８】
なお、第１及び第２の実施形態に使用する発芽玄米の米は、例えばミネラル肥料の多量要素と微量要素の双方が微妙なバランスで稲の生育に良好な影響を与えて栄養のバランスを崩すことなく、その結果人体に健康増進にすぐれた効果（医学的にも）を発揮する特願２００１−２２５５３６号出願の稲の生育方法及び発芽玄米を使用した。
(57)【要約】【課題】          厚皮柑橘類の皮剥きを容易にする。【解決手段】    切り取り個所を少なくし、接続している部分だけを効率よく切り離すこと。【選択図】図5
2005087346.tif 000002
【特許請求の範囲】
【請求項１】
柑橘類の皮の中央部を横方向に帯状に剥く溝切刃と、その上部に果肉と皮を分離するための分離用ナイフが一体化され、溝切刃の後部に凹部を設けてあり、溝切刃が剥く力と直角方向に付いた皮剥き器。
【発明の詳細な説明】
【技術分野】
【０００１】
本発明は厚皮の柑橘類の皮を簡単に綺麗に剥くための剥きかたに関する。
【背景技術】
【０００２】
従来はナイフを使って半分又は四分の一に切り、後は手で皮を剥いて食べるのが一般的であるが、専用の皮剥き器としても柑橘専用カッターを用いて(例えば特許文献1参照。)  皮のみに一旦切れ目を入れてから再び専用器具で剥くものもある。この場合は皮を切る際果肉に傷をつけやすく、全体の皮を剥く際に皮が何枚にも分かれる。また、柑橘類の上下のへたをくり抜いて、へたからへた方向に皮を剥く(例えば特許文献2参照。)  様な剥き方があるが全部の皮向きには手間がかかと同時に厚い皮の場合は切り溝を入れる力が入れにくく安定した皮剥きが困難である。特に皮の厚い柑橘類は包丁の代わりにわずか刃のついた専用カッターといった器具が多く見られる。
【特許文献１】実開昭58−34612
【特許文献２】実開昭61−132676
【発明の開示】
【発明が解決しようとする課題】
【０００３】
この改善策として少ないカット数で、少ない力で、安全に皮と果肉を分離できるようにした。
【課題を解決するための手段】
【０００４】
本発明品は薄い長方形ステンレス板を中央から溝（第2図B）を作るように折曲げられ、上部は開放されている。底の溝部分を先端から（第2図C）程度残し、あとの溝部分と側面は凹状に（第2図A）切りとられている。この凹状部分は皮の切りはじめ加減や皮が連続的に剥ける刃先の進行方向を決定づける構成部分である。又、皮と果肉を分離するときに使用いやすいようにもなっている。溝として残された（第2図C）部分の後方（柄の付く方向）底面と側面先端には刃（符号2）が備えてあり、上部は開放されている。上部の角部分は、溝底面前角より各々左右に斜め上方向及び左右に曲げてある。（符号1）この部分は皮と果肉を分離するためのナイフの役目をしている。尚、角部分は丸みが付いており安全性に配慮してある。分離用ナイフ（符号1）の形状については楕円形、円形、菱形など形がある。  （符号3）は柄であり、柄の下部には握りやすい様波状に加工が施してある。第2図Ａの空間寸法は柑橘類の皮を剥き始める時に刃が皮に入りやすく、又、果肉に傷をつけない状態で皮をむくために30mmから60ｍｍの間隔が適寸法である。第3図B寸法は皮を帯状に切りとるときの力を少ないく、分離用ナイフ（符号、1）が皮と果肉の間に入り安く、同時に果肉も傷つけにくい寸法として5ｍｍから15ｍｍ程度の間隔が適寸法である。
本発明品の使用方法は、柑橘類の中央部側面（へたとへたの間）を帯状に皮を切りとり（第5図）、切りとった皮の後にできる溝から皮と果肉の間に分離用ナイフ（6図  ）を入れ、１周り回転させることにより皮と果肉を分離さる、同様に反対側の皮と果肉の間も分離用ナイフ（符号１）で１周り回転させる。柑橘類を両手で持ち中央の溝を堺に互い違いにねじるように回転（7図）させ皮と果肉を分離する。（8図）
【発明の効果】
【０００５】
柑橘類のなかでも特に皮の厚いもの、形の大きなもの、ほど容易に皮が剥くことが出来る。皮剥き刃の後部に凹部を設けることにより皮が安定して剥くことができ果肉に傷をつけにくいという利点がある。また分離された皮は皿のような形態をしているため柑橘類の食べた後残る、薄い内包、スジ等を置く器として、また、食べる前の器としても利用ができる。
【図面の簡単な説明】
【０００６】
【図１】皮剥き器の全体見取り図
【図２】側面図
【図３】平面図
【図４】正面図
【図５】みかん中央外周を帯状に１周切り取っている様子
【図６】切り取られたあとの溝から分離用ナイフを果肉と皮の間に入れて皮の間を１回転ずつさせる様子
【図７】みかんの分割された皮を両手で持ち左と右にねじる様に回転させる様子
【図８】皮が３分割されて皮が剥けた様子
【符号の説明】
【０００７】
1            分離用ナイフ
2            溝切カッタ−部
3            柄
A    凹部
B    溝
C    溝切部
【図１】
2005087346.tif 000003
【図２】
2005087346.tif 000004
【図３】
2005087346.tif 000005
【図４】
2005087346.tif 000006
【図５】
2005087346.tif 000007
【図６】
2005087346.tif 000008
【図７】
2005087346.tif 000009
【図８】
2005087346.tif 000010
(57)【要約】  【課題】  ねじ先端が突出せず刃体の厚みに対応し容易に固定修正できる枢着装置を提供することにある。  【解決手段】  ２枚で一対の刃体（Ａ）（Ｂ）の互いに一致する枢着位置に、一方の刃体（Ｂ）に挿通穴（１）を穿って、挿通穴（１）に上側固定軸体（３）を装着し、これに突設したおねじ（４）を他方の刃体（Ａ）に形成しためねじ（５）にねじ込み、下側固定軸体（６）の中心に突出したねじ軸（７）を上側固定軸体（３）の中心めねじ（８）にねじ込んだこと。【選択図】    図１
2005087361.tif 000002
【特許請求の範囲】
【請求項１】
２枚で一対の刃体（Ａ）（Ｂ）の互いに一致する枢着位置に、一方の刃体（Ｂ）に挿通穴（１）を穿って、挿通穴（１）に上側固定軸体（３）を装着し、これに突設したおねじ（４）を他方の刃体（Ａ）に形成しためねじ（５）にねじ込み、下側固定軸体（６）の中心に突出したねじ軸（７）を上側固定軸体（３）の中心めねじ（８）にねじ込んだはさみ類の両刃枢着装置。
【請求項２】
刃体（Ａ）の枢着部に形成した環状溝（１３）に、油浸透環（１４）を嵌め、ねじを外すことなく常に油が油浸透環（１４）を介して挿通穴（１）に浸み込むことを特徴とする請求項１記載のはさみ類の両刃枢着装置。
【発明の詳細な説明】
【技術分野】
【０００１】
本発明は理美容用はさみ、その他のはさみ類の両刃枢着装置に関するものである。
【背景技術】
【０００２】
はさみを構成する一対の刃体は、その枢支点でねじのみ、又はナットと組合せて枢着することを長年の間行なっている。
【発明の開示】
【発明が解決しようとする課題】
【０００３】
従来の１本のねじによる枢着で、はさみの両刃体を支持していたものは、長さの合わないねじを使用したり刃体の厚みが薄くなると、ねじの先端が刃体やナットより突出してしまう。本発明の課題はねじ先端が突出せず刃体の厚みに対応し容易に固定修正できる枢着装置を提供することにある。
【課題を解決するための手段】
【０００４】
本発明の手段は次のとおりである。
【０００５】
２枚で一対の刃体（Ａ）（Ｂ）の互いに一致する枢着位置に、一方の刃体（Ｂ）に挿通穴（１）を穿って、挿通穴（１）に上側固定軸体（３）を装着し、これに突設したおねじ（４）を他方の刃体（Ａ）に形成しためねじ（５）にねじ込み、下側固定軸体（６）の中心に突出したねじ軸（７）を上側固定軸体（３）の中心めねじ（８）にねじ込んだこと。
【発明の効果】
【０００６】
２本のねじ軸体で刃体をはさむように締付けるため、ねじの先端が刃体より突出することがない。よって髪に接触して傷めたり、引っ掛けたりすることがなく、作業も円滑に行なえる。また、磨滅した刃を研いだ時に刃体自体が薄くなっても、通常より厚めの刃体を枢着する際も、刃体の厚みに対し可変可能なねじ軸になっているので、各々のはさみに最適なねじ軸として使用することができる。
【発明を実施するための最良の形態】
【０００７】
図１乃至図７は第１の実施態様を、図８，図９は第２の実施態様を示す。第１の実施態様において、Ａ，Ｂは刃体で、両刃体Ａ，Ｂの枢着位置において刃体Ｂに挿通穴１を穿ち、これに上側固定軸体３を装着する。上側固定軸体３に突設したおねじ４を他方の刃体Ａに形成しためねじ５にねじ込み、下側固定軸体６の中心に突出したねじ軸７を上側固定軸体３の中心めねじ８にねじ込む。
【０００８】
刃体Ａは下側固定軸体６の締付けで、めねじ５とおねじ４がより密着し、刃体Ａと上側固定軸体３は確実に固定される。刃体Ｂは上側固定軸体３に介在させたスラストベアリング９と、刃体Ａに形成した環状溝１３により、摩擦抵抗の少ない状態で上側固定軸体３を中心に回動できる。
【０００９】
また下側固定軸体６は図５乃至図７に示すように凹入溝１１を備えた頭部１２を有し、凹入溝１１はねじを締付ける時のねじ回しの代用となる硬貨等に合った溝形状をしており、入り易くなっている。
【００１０】
つまみ１０と凹入溝１１に入れる硬貨等を用いることで、ねじ回し等の工具が不用となり、枢着状態の修正を容易に行なえる。
【００１１】
尚図１の状態より刃体Ａ，Ｂの刃部を研ぎながら長年使用していると、刃体Ａ，Ｂは図２のように薄くなる。この際本発明においては下側固定軸体６の中心に突出したねじ軸７が上側固定軸体３の中心めねじ８に入り込むので、刃体Ａ，Ｂを合せた厚みに合った寸法の軸ねじとなる。従来１本のねじを用いた時には、刃体やナットのねじ穴よりねじの先端が突出したが、上側固定軸体３と下側固定軸体６で刃体をはさむように締付けてあるので、おねじ４とねじ軸７のねじ先端部は常に両刃体Ａ，Ｂの内側にあり、ねじ穴は外側から見えないため、ねじ先端部は突出しないようになっている。
【００１２】
次に図８に示す第２の実施態様は刃体Ａの枢着部に形成した環状溝１３に油浸透環１４を嵌め、常に油浸透環１４より油が挿通穴１に浸み込むようにしたもので、定期的にねじをはずして油を差す作業の回数を削減できる。
【図面の簡単な説明】
【００１３】
【図１】２枚の刃体を合せて枢着部に本発明装置を施した縦断面図。
【図２】刃の研磨を重ねて刃体が磨滅した際の枢着部の縦断面図。
【図３】枢着部にねじ込む上側固定軸体の正面図。
【図４】同じく平面図。
【図５】下側固定軸体の平面図。
【図６】同じく側面図。
【図７】同じく底面図。
【図８】他の実施態様を示す縦断面図。
【図９】図８の例に用いる油浸透環の斜視図。
【符号の説明】
【００１４】
Ａ      刃体
Ｂ      刃体
１      挿通穴
３      上側固定軸体
４      おねじ
５      めねじ
６      下側固定軸体
７      ねじ軸
８      中心めねじ
９      スラストベアリング
１０    つまみ
１１    凹入溝
１２    頭部
１３    環状溝
１４    油浸透環
【図１】
2005087361.tif 000003
【図２】
2005087361.tif 000004
【図３】
2005087361.tif 000005
【図４】
2005087361.tif 000006
【図５】
2005087361.tif 000007
【図６】
2005087361.tif 000008
【図７】
2005087361.tif 000009
【図８】
2005087361.tif 000010
【図９】
2005087361.tif 000011
(57)【要約】【課題】  Ｔシャツやトレーナーにハンガーを掛ける際、襟部を引き伸ばす事無く取り付けられるハンガーを提供する。【解決手段】  ハンガー本体（１）に可動自在な可動引掛け具（７）を設けたことを特徴とする可動引掛け具ハンガー。【選択図】  図１
2005087703.tif 000002
【特許請求の範囲】
【請求項１】
ハンガー本体（１）に可動自在な可動引掛け具（７）を設けた可動引掛け具ハンガー。
【発明の詳細な説明】
【技術分野】
【０００１】  本発明は、Ｔシャツやトレーナーなどの襟部を押し広げ、引き伸ばすこと無く取り付けることができ、また、未使用時に最小限の収納スペースで収納できる可動引掛け具ハンガーに関するものである。
【背景技術】
【０００２】  従来、衣服用ハンガーの引掛け具は、取り付け位置が主にハンガーの襟部に固定されていた。
【発明の開示】
【発明が解決しようとする課題】
【０００３】  そのために、次のような問題点があった。
衣類などにハンガーを取り付けようと、Ｔシャツやトレーナーなどの襟部にハンガーを差し込む際、ハンガーに固定された引掛け具がつっかえて、襟部を必要以上に押し広げ引き伸ばさないと取り付けられなかった。そのため作業効率も悪く、Ｔシャツやトレーナーなどの襟部が伸びきって傷んでしまい、非常に見苦しくなってしまった。また、未使用時にハンガーを収納する際、ハンガーを棒などに引掛けておくと、ハンガーの肩部が横方向に張り出し横方向に余分な収納スペースを取っていた。また箱や引出しの中に収納しようとすると、引掛け具が出っ張って余分な収納スペースを必要としていた。
本発明は、以上の問題点を解決するためになされたものである。
【課題を解決するための手段】
【０００４】  ハンガー本体（１）に可動引掛け具（７）を設ける。これにより可動引掛け具（７）がハンガー本体（１）のどこにでも自由に移動できる。
以上を特徴とする可動引掛け具ハンガーである。
【発明の効果】
【０００５】  本発明を使用することによって、Ｔシャツやトレーナーなどにハンガーを取り付ける際、Ｔシャツやトレーナーなどの襟部を押し広げ、引き伸ばすこと無く簡単に取り付けられる。また、未使用時にハンガーを収納する時、ハンガーと引掛け具が固定されていないため両者の位置関係を自由に変化させることで、収納スペースを最小限にする事が出来る。
【発明を実施するための最良の形態】
【０００６】  以下、本発明の実施の形態について説明する。
（イ）引掛け部（５）の下端に連結部（６）を設け、可動引掛け具（７）とする。
（ロ）切断部（２）の隙間から連結部（６）を差込み貫通させ、ハンガー本体（１）に可      動引掛け具（７）を設け、その後切断部（２）を接合させる。これによりハンガー      本体（１）が可動引掛け具（７）の移動用レールとなり、可動引掛け具（７）はハ      ンガー本体（１）のどこにでも自由に移動できる。
本発明は以上の構成よりなっている。
本発明を使用する時は、以下のように使用する。
図２に示すように可動引掛け具（７）の引掛け部（６）を、物干し竿や壁のフックなどに掛ける。そして可動引掛け具（７）が、ハンガー本体（１）の一方の先端部（４）にくるようにして、可動引掛け具（７）と両方の肩先端部（４）が垂直になるようにする。そして可動引掛け具（７）の反対側の先端部（４）からＴシャツやトレーナーなどの襟部にハンガー本体（１）を挿入する。次に図３に示すように可動引掛け具（７）のみをＴシャツやトレーナーなどの襟部から外部に出したまま、可動引掛け具（７）が頂点部（３）の位置に来るようにハンガー本体（１）をＴシャツやトレーナーなどの中で９０°回転させる。これにより可動引掛け具ハンガーが、Ｔシャツやトレーナーなどの襟部を必要以上に押し広げることなく取り付けられる。そして可動引掛け具（７）の連結部（６）が頂点部（３）にはまり込むことで、ハンガー本体（１）上での可動引掛け具（７）の位置が固定され、ずれることなく安定する。また収納する際は、図４に示すように可動引掛け具（７）と両方の先端部（４）が垂直になるようにして、収納用の棒やフックに引っ掛けることで横方向の収納スペースが少なくて済む。または、図５に示すように可動引掛け具（７）をハンガー本体（１）の内側に入るように折りたたみ、最小の大きさにして収納用箱などに収納できる。
【図面の簡単な説明】
【０００７】
【図１】本発明の斜視図
【図２】本発明の使用手順を示す斜視図
【図３】本発明の使用手順を示す斜視図
【図４】本発明の収納時の状態を示す斜視図
【図５】本発明の収納時の状態を示す斜視図
【符号の説明】
【０００８】        １  ハンガー本体
２  切断部
３  頂点部
４  先端部
５  引掛け部
６  連結部
７  可動引掛け具
【図１】
2005087703.tif 000003
【図２】
2005087703.tif 000004
【図３】
2005087703.tif 000005
【図４】
2005087703.tif 000006
【図５】
2005087703.tif 000007
(57)【要約】【課題】エレメントの噛み合いによる停止機能だけでは、スライダーが意に反して勝手に移動してファスナーが開いてしまう事が危惧される。【解決手段】スライドファスナーの引手４に、スナップボタン雌５を取り付け、スライダー３に固定する。【選択図】  図１
2005087705.tif 000002
【特許請求の範囲】
【請求項１】
ファスナーを閉じた位置でロック出来る様に、スナップボタンを取り付けた事を特徴とする、スライドファスナー用引手。
【発明の詳細な説明】
【発明の詳細な説明】
【技術分野】
【０００１】  本発明は、かばん、バッグ、靴、洋服等に用いる、スライドファスナーの形状に関する。
【背景技術】
【０００２】  従来、かばん等に用いるスライドファスナーは、エレメントの凸部と凹部との噛み合いのみでロックされている。
【発明が解決しようとする課題】
【０００３】  従来のエレメントの噛み合いのみでロックされるファスナーは、ファスナーを閉じても、意に反してファスナーが開いてしまう問題点があった。
【課題を解決するための手段】
【０００４】  上記課題、ファスナーが意に反して開いてしまわない様に、ファスナーの引手部分に、スナップボタンを取り付けロックする。
【発明を実施するための最良の形態】
【０００５】  従来のエレメントの噛み合いでのロックとスナップボタンでのロックで、二重にロックされる。
【実施例】
【０００６】  本発明を図面にて説明すると、図１において、スナップボタン雌５を取り付けた引手４をスライダー３に固定する。
【発明の効果】
【０００７】  このようにすれば、ファスナーが意に反して開いているという事を防げ、落とし物、スリ及び盗難などの防犯にも好適である。
【図面の簡単な説明】
【図１】  スナップボタン取り付け実施例を示す平面図である。
【図２】  スナップボタン取り付け実施例を示す断面図である。
【符号の説明】
１、スナップボタン雄
２、上止
３、スライダー
４、引手
５  スナップボタン雌
６、エレメント
７、テープ
８、下止
【図１】
2005087705.tif 000003
【図２】
2005087705.tif 000004
(57)【要約】      （修正有）【課題】料理や工作の際に、包丁やカッター、ハサミなどの刃物類による創傷や突き傷などから指を保護することを目的とした指ガードを提供する。【解決手段】防刃機能の高い、あるいは防刃機能を高めた合成樹脂繊維の布、又は不織布、又はフィルムと粘着材からなる防刃テープで指２を覆い、強い力のかかる可能性の高い指先は、指の背部を、あるいは側面をも、防刃繊維製、合成樹脂製または金属製の保護材を粘着テープ３などで覆う。救急絆創膏の製造技術の応用も可能である。保護材には、キャラクター等のイメージを印刷して料理や工作を楽しくすることが出来る。定型品でもフリーサイズでの提供も可能である。【選択図】図４
2005087702.tif 000002
【特許請求の範囲】
【請求項１】
防刃機能の高い、又は補強材で防刃機能を強化した、合成樹脂繊維の布又は不織布又はフィルムと粘着材からなる防刃テープで指を覆い、防刃テープの上から、合成樹脂製又は金属製の防刃カバー、又は合成樹脂板や金属板で防刃補強した防刃テープ、又は防刃テープ自体で、指先背部を覆う指ガード
【請求項２】
上記防刃テープ又は防刃カバーのみを使用する指ガード
【請求項３】
上記防刃テープ及び防刃カバーの一体型指ガード
【発明の詳細な説明】
【発明の詳細な説明】
【技術分野】
【００１】この発明は指を包丁やカッターなどの刃物類による創傷、刺し傷などから指を保護する防刃テープと防刃カバーに関するものである。防刃テープならびに繊維系の防刃カバーの製造技術は救急絆創膏とほぼ同様である。
【背景技術】
【００２】従来は、傷口を保護する救急絆創膏や危険な作業から手を護る防刃手袋がある。が、いずれも料理や工作に伴う傷害から指を護る手段としては適切ではない。
【発明が解決しようとする課題】
【００３】刃物やナイフ類が怖くて料理が苦手な人々、高齢化に伴い慣れない料理を始める老人、幼児向け料理番組の影響で包丁やハサミを使う幼児、教育の一環として工作の際にカッターなどの切削工具を使う児童などに対して、これらの刃物類から指を保護する有効な手段が今迄はなかった。これらの傷害から指を保護する指ガードを提供することが最大の課題である。
【課題を解決するための手段】
【００４】本発明では包丁やカッターなどの刃物による創傷や突き傷から指を保護するために、防刃機能の高い、あるいは金属線などで防刃機能を強化した、合成樹脂繊維の布又は不織布又はフィルムと粘着材からなる防刃テープ（以降防刃テープと称する）で指を覆う。刃物類の強い力のかかる可能性の高い指先背部や側面は、合成樹脂製又は金属製の防刃カバーを粘着材または粘着テープで、或いは、合成樹脂板や金属板で防刃を強化した防刃テープ（以降これらを防刃カバーと称する）で、又は、重ねた防刃テープで、爪の部分を覆う。
【発明を実施するための最良の形態】
【００５】以下、本発明の実施の形態について説明する。
まず防刃テープで指を覆う。次いで、指先の爪の部分に防刃テープの上から防刃カバーを貼り付ける。防刃テープ、防刃カバーともに既製サイズ又はフリーサイズで提供できる。防刃カバーには画像印刷や自分好みのペイントが出来る。
【発明の効果】
【００６】本発明による指ガードを適用することにより、包丁やカッターなどによる創傷や突き傷などから指を保護する。包丁を怖がって料理が不得意な人も、高齢化に伴う独り暮らしの老人も、料理に安心感がもてる。幼児が包丁やハサミなどを使う場合や、学校や地域で行われる工作や料理といった学習の際に、今迄になく指を保護する効果は大きい。
【図面の簡単な説明】
【図１】  本発明の防刃テープの一例を示す図面である
【図２】  本発明の防刃テープの適用の一例を示す図面である
【図３】  本発明の防刃カバーの一例を示す図面である
【図４】  本発明の防刃テープと防刃カバーの適用の一例を示す図面である
【符号の説明】
１  防刃テープを構成する防刃機能の高い繊維布、不織布又はフィルム及び粘着材
２  指
３  防刃テープ、金属板、合成樹脂成形品の、又はこれらからなる防刃カバー
【図１】
2005087702.tif 000003
【図２】
2005087702.tif 000004
【図３】
2005087702.tif 000005
【図４】
2005087702.tif 000006